(57)【要約】【課題】重量引戸あっても、閉扉時に戸枠の竪枠などの部材に強く当接し衝撃により、引戸や閉扉箇所の部材などを損傷したり、騒音を生じることのない制動装置を備えた引戸装置を提供することを目的とする。【解決手段】引戸枠に開閉動作すべく移動自在に設けられた引戸と、該引戸を閉扉方向に移動させるための閉じ力発生手段と、該引戸が全閉状態になる前に該引戸を制動するための制動装置を備えた引戸装置において、該制動装置は、該引戸の上方に設けられたラックと、該ラックに噛合うピニオンギアを備えた複数の制動手段とからなり、該引戸が全閉扉状態近くになると複数の制動手段の各ピニオンギアが同一のラックと噛合い、複数の制動手段が制動作用を行うことを特徴とする。【選択図】図１
2010133135.tif 000002
【特許請求の範囲】
【請求項１】
引戸枠に開閉動作すべく移動自在に設けられた引戸と、該引戸を閉扉方向に移動させるための閉じ力発生手段と、該引戸が全閉状態になる前に該引戸を制動するための制動装置を備えた引戸装置において、
該制動装置は、該引戸の上方に設けられたラックと、該ラックに噛合うピニオンギアを備えた複数の制動手段とからなり、
該引戸が全閉扉状態近くになると複数の制動手段の各ピニオンギアが同一のラックと噛合い、複数の制動手段が制動を行うことを特徴とする引戸装置。
【請求項２】
該引戸が全開扉状態では、複数の制動手段の内の少なくとも一つの制動手段が該ラックと噛み合っていることを特徴とする請求項１に記載の引戸装置。
【請求項３】
該引戸が全開扉状態では、複数の制動手段の全ての制動手段が該ラックと噛み合わず離れた位置にあることを特徴とする請求項１に記載の引戸装置。
【発明の詳細な説明】
【技術分野】
【０００１】
本発明は、引戸の閉扉速度を減速させる制動装置を備えた引戸装置に関するものである。
【背景技術】
【０００２】
引戸装置において、引戸の閉扉動作が自動的に行われる自閉式のものは既に知られている。この種の引戸装置としては、引戸と所定位置に固定された部材（引戸枠）との間に、閉じ力発生手段が設けられ、開放された引戸が前記閉じ力発生手段の付勢力により自動的に閉扉させるように構成したものである。なお、閉じ力発生手段としては、閉扉方向に付勢するぜんまいばねやコイルばね、ウェイトの重量により引戸を閉扉方向に引っ張るものや、引戸に設けた車輪を、閉扉方向側を少し下方に傾斜させたレール上に転動自在に載置して、引戸の自重により自動的に閉扉させたものが公知である。
【０００３】
このような引戸装置においては、引戸が閉じる際に引戸枠の竪枠などの部材に強く当接した衝撃により、引戸や閉扉箇所の部材などを損傷したり騒音を生じないようにするために、制動装置が設けられている。かかる制動装置は、引戸側に固定される制動手段の入力軸に外嵌されたピニオンギアと、該ピニオンギアに噛合してピニオンギアに所定のトルクを付与すべく、引戸枠側に固定されたラックとを備えている。
【０００４】
この引戸装置によれば、引戸が完全に閉扉される前にラックにピニオンギアが噛合して入力軸が制動されながら回転されることにより引戸の閉扉動作が制動されるため、引戸が閉扉する際に閉扉箇所の部材に強く当接することはなくなって、引戸や閉扉箇所の部材などを損傷したり騒音を生じたりすることを防止できる。（下記特許文献１参照）
【特許文献１】特開２００２−５４３４８号公報
【発明の開示】
【発明が解決しようとする課題】
【０００５】
しかし、前記特許文献１に記載の技術は、病院、オフィス、図書館、高齢者用住宅、倉庫等に取付けた重量のある引戸（重量引戸）に用いた場合、一旦引戸が閉じ始めると、閉じ力発生手段による閉じ力に加え、扉の重量によるイナーシャ（慣性）により閉じ速度が増大し、全閉扉時に戸枠の竪枠などの部材に強く当接した衝撃により、引戸や閉扉箇所の部材などを損傷したり、騒音を生じることとなり、重量引戸への制動には不十分であるという問題がある。
【０００６】
そこで、本発明は、重量引戸であっても、閉扉時に戸枠の竪枠などの部材に強く当接した衝撃により、引戸や閉扉箇所の部材などを損傷したり、騒音を生じることのない制動装置を備えた引戸装置を提供することを目的とする。
【課題を解決するための手段】
【０００７】
本発明は、引戸枠に開閉動作すべく移動自在に設けられた引戸と、該引戸を閉扉方向に移動させるための閉じ力発生手段と、該引戸が全閉状態になる前に該引戸を制動するための制動装置を備えた引戸装置において、該制動装置は、該引戸の上方に設けられたラックと、該ラックに噛合うピニオンギアを備えた複数の制動手段とからなり、該引戸が全閉扉状態近くになると複数の制動手段の各ピニオンギアが同一のラックと噛合い、複数の制動手段が制動を行うことを主要な特徴とする。
【０００８】
前記のごとく、本発明の引戸装置の制動装置は、引戸の上方に設けられたラックと、このラックに噛合うピニオンギアを備えた複数の制動手段とからなり、引戸が全閉扉状態近くになると複数の制動手段の各ピニオンギアが同一のラックと噛合い、複数の制動手段が制動を行うので、重量引戸であっても十分な制動を掛けることが可能となり、引戸や閉扉箇所の部材などを損傷したり、騒音を生じることがない。
【０００９】
また、本発明の引戸が全開扉状態では、複数の制動手段の内の少なくとも一つの制動手段が前記ラックと噛み合っていることを特徴とする。
【００１０】
前記のごとく、本発明の引戸装置の制動装置は、引戸が全開扉状態で、複数の制動手段の内の少なくとも一つの制動手段がラックと噛み合っているので、引戸の閉じ始めの速度を遅くすることができ、人が通り抜ける余裕が確保できる。
【００１１】
さらに、本発明の引戸が全開扉状態では、複数の制動手段の全ての制動手段が前記ラックと噛み合わず離れた位置にあることを特徴とする。
【００１２】
前記のごとく、本発明の引戸装置の制動装置は、引戸が全開扉状態で、複数の制動手段の全ての制動手段が前記ラックと噛み合わず離れた位置にあるので、素早く引戸を閉じることができ、また、閉じ始めの操作を軽く行うことができる。
【発明の効果】
【００１３】
本発明の引戸装置では、引戸が重量引戸であっても十分な制動を掛けることが可能となり、引戸や閉扉箇所の部材などを損傷したり、騒音を生じることがなくなるという利点がある。
【発明を実施するための最良の形態】
【００１４】
以下、本発明の第一実施の形態を図面に基づき詳細に説明する。図１〜図５において、１は引戸枠２に左右方向に移動自在に吊り下げられた上吊り方式の引戸を示す。なお、本実施の形態では、右開き用の引戸を例示するが、反対に左開き用の引戸であっても良いことは無論である。前記引戸枠２は、前記引戸１の閉じ側竪枠３と開き側竪枠４の上端間を上横枠５で、それぞれ連結して形成されたものである。図中開き側竪枠４の引戸１の戸尻側に位置する側面には、引戸１の全開時、戸尻が竪枠４に衝突した時の衝撃を緩和するための２つの緩衝材４ａが設けられている。
【００１５】
前記引戸１の上縁部にあってほぼ両端部には、戸先側ブラケット６ａと閉尻側ブラケット６ｂが上方に延設され、この２つのブラケット６ａ，６ｂに各々２つの戸車７が回転自在に軸支されている。
【００１６】
前記上横枠５には、その左右方向の幅のほぼ全域にわたって断面略Ｌ字状のフレーム１５が水平に固定され、このフレーム１５に形成されたレール部１６上に、前記戸車７が転動自在に載置され、レール部１６上を戸車７が転動することにより、引戸１の開閉動作が行われる。
【００１７】
前記レール部１６の戸先側端部には、図１、図４に示すように、本発明の閉じ力発生手段に相当する閉扉駆動装置２１が固定されている。この閉扉駆動装置２１はその本体１８内部にぜんまいバネ（図示せず）を備え、このぜんまいバネにより回転するドラム２０の外周に巻きつけられた駆動ワイヤ１９とを備えている。そして、この駆動ワイヤ１９の先端が前記戸先側ブラケット６ａに連結され、ぜんまいバネのバネ力により引戸１を閉扉方向に常時付勢している。従って、引戸１が人の力で開扉された後、手を放されると、引戸１はぜんまいバネのバネ力により駆動ワイヤ１９に引っ張られ、自動的に閉扉することとなる。なお、図４に示すように、図１では図示を省略しているが、閉扉駆動装置２１等を備えた上横枠５の前面は、点検カバー２２で覆われている。
【００１８】
前記フレーム１５上には、図１、図５に示すように、引戸１の全閉状態において、この引戸１の上縁部に対向する位置にラック１７が、引戸１の開閉方向に沿ってレール部１６に並行して設けられている。このラック１７は、所定の長さの３本のラック１７ａ，１７ｂ，１７ｃを連結し、一つの連続したものに構成されている。その長さは、引戸１の左右方向の幅の略半分よりも長く構成されている。なお、このラック１７は、継ぎ目のない一本ものであってもよいし、所定の長さのものを複数本連結し、一つの連続したものに構成してもよい。
【００１９】
前記戸先側ブラケット１２ａの戸尻側と戸尻側ブラケット１２ｂの戸先側には、同じ構造をした制動手段８がそれぞれ一個づつ設けられている。この２つの制動手段８は、正逆回転自在に支持された入力軸１０に制動力（回転抵抗）を付与するもので、このような制動機能を発揮し得る限りその構造は任意である。例えば、本実施の形態では、トロコイドポンプを備えた油圧式ダンパを採用している。また、本実施の形態の制動手段８には、制動力を調整するための絞り弁８ａが設けられており、この絞り弁８ａを調整することにより任意の値に制動力を調整可能としている。従って、戸先側と戸尻側の制動手段８の制動力をそれぞれ異なる値に設定することも可能である。
【００２０】
前記各制動手段８に支持された各入力軸１０には、それぞれピニオンギヤ９が取り付けられている。この２つのピニオンギヤ９は、ともにフレーム１５に設けられた同一のラック１７に噛み合っている。入力軸１０とピニオンギヤ９との間には、それぞれ一方向クラッチ（図示省略）が装着されている。一方向クラッチは、引戸１の閉扉方向にピニオンギヤ９が正回転する際には、ピニオンギヤ９は入力軸１０を回転させてトルク伝達を行い、反対に開扉方向にピニオンギヤ９が逆回転する際には、ピニオンギヤ９を空転させて入力軸１０のトルク伝達を遮断する向きに取り付けられている。すなわち、本実施の形態の制動装置１１は、各々ピニオンギヤ９を備えた２つの制動手段８と、引戸１が略中間域まで閉じられると前記２つのピニオンギヤ９が両方とも噛み合うラック１７とにより構成されている。
【００２１】
そして、図２、図３に示すように、本実施の形態のラック１７の長さは、引戸１が開口の略中間域まで閉じられると２つの制動手段８の各ピニオンギア９と噛合い、逆に引戸１が全開扉状態になると、２つの制動手段８の内の戸先側の制動手段８だけと噛み合う長さに設定されている。
【００２２】
本発明の第一実施の形態の引戸装置は、前記のように構成されているので、引戸１が、閉扉駆動装置２１により図３に示す全開扉状態から閉扉方向に閉じられようとする場合、戸先側の制動手段８のピニオンギア９は、全閉扉状態、全開扉状態のいずれにおいてもラック１７と噛み合っているので、引戸１には戸先側の制動手段８による制動がかかる。このため病院や高齢者用住宅において、引戸１の閉じ始めの速度を遅くすることができ、人が通り抜ける余裕が確保できる。さらに引戸１が閉じられほぼ中間域までくると、図２に示すように戸尻側の制動手段８のピニオンギア９が前記と同一のラック１７の戸尻側端部と噛み合いはじめる。この状態からは戸先側と戸尻側の両方の制動手段８による制動がかかり始める。以降、図１に示す全閉扉状態となるまで２つの制動手段８による制動がかかることとなる。このため、重量のある引戸１は、閉扉駆動装置２１による閉じ速度に加え、引戸１自体の重量によるイナーシャ（慣性）により、閉じ速度が増大しても十分に制動がかかり、引戸１や引戸枠２の部材などを損傷したり、騒音を生じることがなくなる。
【００２３】
次に、本発明の第二実施の形態を図６に基づき説明する。なお、同一部材には同一符号を付してその説明は省略する。
【００２４】
図６に示すように、所定の長さの３本のラック１７０ａ，１７０ｂ，１７０ｃを連結し、一つの連続したものに構成されたラック１７０の長さは、引戸１が全閉扉状態近くになると２つの制動手段８の各ピニオンギア９と噛合い、逆に引戸１が全開扉状態となると、２つの制動手段８のピニオンギア９の両方とも噛合わなくなる長さに設定されている。
【００２５】
本発明の第二実施の形態の引戸装置は、前記のように構成されているので、引戸１が、閉扉駆動装置２１により図６に示す全開扉状態から閉扉方向に閉じられようとする場合、２つの制動手段８のいずれの制動手段８のピニオンギア９とも噛み合っていないので、戸尻側の制動手段８のピニオンギア９がラック１７０と噛み合うまでは、制動がかかることがなく、閉扉駆動装置２１により素早く閉じられる。従って、オフィス、倉庫等のように早く引戸１を閉じたい場合に有効である。
【００２６】
また、本発明で、複数の制動手段８の各ピニオンギア９が同一のラック１７，１７０と噛合うところの、引戸１の”全閉扉状態近く”とは、引戸１が図２に示す略中間域から閉じ側竪枠３の手前３０センチ程度までの間に閉じられた状態をいう。
例えば、第二実施の形態において、引戸１が閉じ側竪枠３の手前３０センチ程度に閉じられた状態で、複数の制動手段８の各ピニオンギア９が同一のラック１７０と噛合う状態とするためには、戸尻側の制動手段８を戸先側の制動手段８により近づけるとともに、ラック１７０をより短くすることとなる。
【００２７】
なお、引戸１の全閉状態近くにおいて大きな制動力を働かせる制動装置の構成として、上横枠５にラックを図中上下方向、または出入り方向（図面に垂直な方向）へ２列に設け、それぞれのラックに制動手段８のピニオンギヤ９を噛み合せることも可能であるが、この構成では上横枠５の上下方向の幅が大きくなったり、制動装置自体が上下方向、または出入り方向に大きくなるという問題がある。
しかし、本発明では、引戸１の全閉扉状態近くにおいて同一のラック１７，１７０に２つの制動装置８のそれぞれのピニオンギヤ９を噛み合せ、大きな制動力を働かせる構成としたので、上横枠５の上下方向の幅を大きくする必要がなく、また制動装置１１が上下方向、または出入り方向のコンパクトになるという利点がある。よって、引戸装置全体が上下方向、または出入り方向においてコンパクトになる。
【００２８】
また、本発明は前記実施の形態に限定されるものではなく、引戸の使用目的に応じて、引戸が全開扉状態近くになると制動装置が作動する開扉用制動装置を併設しても良いし、閉じ初めの所定の距離だけ低速で閉じさせるディレードアクション機能を具備することも可能である。
【００２９】
さらに、閉じ力発生手段は、前記のものに限定されることはなく、ウェイトの重量により引戸を閉扉方向に引っ張るものや、引戸に設けた車輪を、閉扉方向側を少し下方に傾斜させたレール上に転動自在に載置して、引戸の自重により自動的に閉扉させたもの等が採用可能である。
【図面の簡単な説明】
【００３０】
【図１】第一実施の形態における引戸装置の全閉状態を示す正面図である。
【図２】第一実施の形態における引戸装置の中間域まで閉じた状態を示す側面図である。
【図３】第一実施の形態における引戸装置の全開状態を示す正面図である。
【図４】図１のＡ−Ａ断面図である。
【図５】図１のＢ−Ｂ断面図である。
【図６】第二実施の形態における引戸装置の全開状態を示す正面図である。
【符号の説明】
【００３１】
１      引戸
２      引戸枠
８      制動手段
９      ピニオンギア
１１    制動装置
１７    ラック
２１    閉扉駆動装置
【図１】
2010133135.tif 000003
【図２】
2010133135.tif 000004
【図３】
2010133135.tif 000005
【図４】
2010133135.tif 000006
【図５】
2010133135.tif 000007
【図６】
2010133135.tif 000008